(57)【要約】【課題】沿面放電を、手軽に体感することができる沿面放電体感装置を提供する。【解決手段】沿面放電を発生させる装置であって、アースされた誘導電極４と、該誘導電極４と非接触状態に配設された放電電極３とからなる一対の電極と、一対の電極間に配設され、その表面に沿面放電を生じさせ得る絶縁部材５と、放電電極３に接続されたバンデグラフ起電機２とからなる。バンデグラフ起電機２を作動させれば、絶縁部材５の表面に沿面放電を発生させることができる。【選択図】図１
2008226580.tif 000002
【特許請求の範囲】
【請求項１】
沿面放電を発生させる装置であって、
アースされた誘導電極と、該誘導電極と非接触状態に配設された放電電極とからなる一対の電極と、
該一対の電極間に配設され、その表面に沿面放電を生じさせ得る絶縁部材と、
前記放電電極に接続されたバンデグラフ起電機とからなる
ことを特徴とする沿面放電体感装置。
【請求項２】
前記放電電極は、
前記絶縁部材側の先端部の曲率半径が５〜５０ｍｍである
ことを特徴とする請求項１記載の沿面放電体感装置。
【請求項３】
前記絶縁部材の厚さが、０．０１〜８ｍｍである
ことを特徴とする請求項１記載の沿面放電体感装置。
【請求項４】
前記放電電極と前記絶縁部材の表面との距離が、２０ｍｍ以下である
ことを特徴とする請求項１記載の沿面放電体感装置。
【請求項５】
前記一対の電極および前記絶縁部材を内部に収容するケースを備えており、
該ケースは、内部を視認しうる観測窓を備えている
ことを特徴とする請求項１、２、３または４記載の沿面放電体感装置。
【請求項６】
前記ケース内を換気する換気手段を備えている
ことを特徴とする請求項５記載の沿面放電体感装置。
【請求項７】
前記ケース内が、相対湿度６５％以下に保たれている
ことを特徴とする請求項５記載の沿面放電体感装置。
【請求項８】
請求項１、２、３、４、５、６または７記載の沿面放電体感装置を、相対湿度６５％以下の雰囲気で作動させる
ことを特徴とする沿面放電体感実験方法。
【発明の詳細な説明】
【技術分野】
【０００１】
本発明は、沿面放電体感装置および沿面放電体感実験方法に関する。絶縁材料表面に電圧を印加したときに、絶縁材料の表面に保持できる電荷の量は、絶縁材料の背後に導体を有する場合の方が背後に導体を有しない場合と比較して多量の電荷を保持し易くなり、一定の条件を満たした場合には、この絶縁材料の表面に沿って放電路が形成される沿面放電が発生する。
本発明は、かかる沿面放電を実際に体感し、その危険性を感じ取ることができる沿面放電体感装置およびこの装置を使用した沿面放電体感実験方法に関する。
【背景技術】
【０００２】
従来から沿面放電を工業的に利用する技術が開発されている。例えば、導電性フィルムを製造する製造工程において、シート状非導電性基材の表面に沿面放電を発生させて表面処理を行う技術（特許文献１）や、イオン発生装置においてイオンを発生させる方法として沿面放電を利用する技術（特許文献２、３）が開発されている。
【０００３】
沿面放電のような放電現象は様々な分野で利用される一方、偶発的に発生する放電現象は火災や爆発等の原因となる可能性があり、工場やプラント等の作業者や設計者は放電現象の危険性や発生原因を理解し、放電による災害を未然に防ぐことが必要である。
【０００４】
放電現象の実体や発生原因を明らかにするために、放電現象の研究が行われている（非特許文献１、２）。そして、比較的簡単かつ安全に発生させることができるコロナ放電や火花放電であれば簡易な実験装置でも実験を行うことができることから、研究者以外の作業者等であっても簡単に体験することができる。
【０００５】
しかしながら、沿面放電はその発生条件が特殊であるため、現在のところ研究室のような特別な施設において実験が行われているのみであり、一般の作業者等が沿面放電を体験する機会はほとんどなく、沿面放電を体験させる簡易な実験装置も存在していない。
また、上述したような沿面放電を利用する技術も工場内などでは使用されているものの、沿面放電を発生させる装置は厳重に管理され、作業者等が沿面放電を直接観測し体験する機会はほとんどない。
【０００６】
【特許文献１】特開平９−２０１９１５号
【特許文献２】特開２００３−１５３９９５号
【特許文献３】特開２００６−１１４３２６号
【非特許文献１】Martin Glor, “Ignition hazard due to static electricity in particulate processes”, Power Technology135-136(2003), p.223-233
【非特許文献２】Martin Glor, “Electrostatic Hazards in Powder Handling”,JOHN WILEY & SONS INC.,  1988, p.83-93
【発明の開示】
【発明が解決しようとする課題】
【０００７】
本発明は上記事情に鑑み、沿面放電を、手軽に体感することができる沿面放電体感装置およびこの装置を使用した沿面放電体感実験方法を提供することを目的とする。
【課題を解決するための手段】
【０００８】
第１発明の沿面放電体感装置は、沿面放電を発生させる装置であって、アースされた誘導電極と、該誘導電極と非接触状態に配設された放電電極とからなる一対の電極と、該一対の電極間に配設され、その表面に沿面放電を生じさせ得る絶縁部材と、前記放電電極に接続されたバンデグラフ起電機とからなることを特徴とする。
第２発明の沿面放電体感装置は、第１発明において、前記放電電極は、前記絶縁部材側の先端部の曲率半径が５〜５０ｍｍであることを特徴とする。
第３発明の沿面放電体感装置は、第１発明において、  前記絶縁部材の厚さが、０．０１〜８ｍｍであることを特徴とする。
第４発明の沿面放電体感装置は、第１発明において、前記放電電極と前記絶縁部材の表面との距離が、２０ｍｍ以下であることを特徴とする。
第５発明の沿面放電体感装置は、第１、２、３または４発明において、前記一対の電極および前記絶縁部材を内部に収容するケースを備えており、該ケースは、内部を視認しうる観測窓を備えていることを特徴とする。
第６発明の沿面放電体感装置は、第５発明において、前記ケース内を換気する換気手段を備えていることを特徴とする。
第７発明の沿面放電体感装置は、第５発明において、前記ケース内が、相対湿度６５％以下に保たれていることを特徴とする。
第８発明の沿面放電体感実験方法は、第１、２、３、４、５、６または７発明の沿面放電体感装置を、相対湿度６５％以下の雰囲気で作動させることを特徴とする。
【発明の効果】
【０００９】
第１発明によれば、バンデグラフ起電機を作動させれば、放電電極が帯電し、一方、誘導電極には放電電極と逆の電荷が誘導される。両極間には、絶縁性を有しその表面に沿面放電を生じさせ得る絶縁部材が存在しているので、両極間の電圧が所定の電圧以上となると、絶縁部材の表面に沿面放電を発生させることができる。また、バンデグラフ起電機によって放電電極を帯電させており、放電電極を高電圧に帯電させることができるから、沿面放電が発生する可能性を高くすることができる。
第２発明によれば、コロナ放電の発生を防ぐことができ、確実に沿面放電を発生させることができる。
第３発明によれば、絶縁部材の絶縁破壊による誘導電極と放電電極の短絡頻度を小さくすることができ、かつ、誘導電極の作用を効果的に得ることができるので、沿面放電を発生させることが容易になる。
第４発明によれば、バンデグラフ起電機によって放電電極を帯電させた場合であっても、確実に沿面放電を発生させることができる。
第５発明によれば、ケース内において沿面放電による可燃物などの着火実験を行えば、観測窓からその状況を観察できるので、沿面放電による災害等の把握をより深めることができる。
第６発明によれば、換気手段によってケース内を換気しながら実験を行えば、実験時に発生した有害ガスがケース外に漏れることを防ぐことができる。
第７発明によれば、ケース内が沿面放電が発生しやすい雰囲気になるので、沿面放電を確実に発生させることができ、発生する沿面放電の規模を大きくすることができる。
第８発明によれば、沿面放電が発生しやすい雰囲気であるから、沿面放電を確実に発生させることができ、発生する沿面放電の規模を大きくすることができる。
【発明を実施するための最良の形態】
【００１０】
つぎに、本発明の実施形態を図面に基づき説明する。
図１は本実施形態の沿面放電体感装置１の概略ブロック図である。図２（Ａ）は電極近傍の概略拡大説明図であり、（Ｂ）は電極近傍の概略平面図である。
図１において、符号２はバンデグラフ起電機を示している。このバンデグラフ起電機２は、静電気を連続して発生させることができるものであり、その帯電部分２ａに１５０ｋＶ程度の高電圧を発生させることはできるが、作り出せる電流は小さい起電機である。なお、バンデグラフ起電機２は、機種を適切に選定することによって正または負どちらか一方の所望する電荷を発生させ、帯電部分２ａに帯電させることができる。
【００１１】
このバンデグラフ起電機２の帯電部分２ａは、例えば、フッ素樹脂製チューブによって被覆された電線３ａによって、放電電極３の上端部に電気的に接続されている。この放電電極３は、略筒状に形成された部材であり、その下端部の端面が略球面に形成されているが、詳細は後述する。
なお、放電電極３とバンデグラフ起電機２の帯電部分とを電気的に接続する方法は、上記のごとき構成に限られず、バンデグラフ起電機２の帯電部分２ａと放電電極３とが電気的にボンディング（接続）され、かつ、大地を含む周辺の導体から電気的に絶縁することができる構成であればよい。
【００１２】
図１に示すように、前記放電電極３の下方には、誘導電極４が配設されている。この誘導電極４は、その表面が平坦な面に形成された円板状の部材である。この誘導電極４は、例えば、鉄やステンレス等の導電性材料によって形成された電極であり、アースされた状態で絶縁性材料によって形成された台６の上に配置されている。
なお、誘導電極４は台６等を設けず、床や地面、テーブル等の上に直接設置してもよい。
【００１３】
そして、誘導電極４の上面には、絶縁部材５が配置されている。この絶縁部材５は、放電電極３と誘導電極４との間を絶縁するように配置された、略四角形状に形成されたシートである。この絶縁部材５は、誘導電極４の上面を覆い隠すことができる程度の大きさに形成されており、その中心が放電電極３の中心軸の延長線上に位置するように配設されている（図２（Ｂ））。
【００１４】
なお、絶縁部材５の形状は略四角形状に限られず、円形等としてもよい。
さらになお、絶縁部材５は誘導電極４よりも小さくてもよいが、絶縁部材５によって誘導電極４の上面が覆い隠されていれば、絶縁部材５の絶縁破壊なしで放電電極３と誘導電極４との間を直接つなぐような放電が発生することを防ぐことができ好適である。
さらになお、絶縁部材５は１つの部材でもよいし、薄膜を数枚重ねた状態でもよい。絶縁部材５の厚さが薄いと、低い電圧で絶縁部材の絶縁破壊が生じて放電電極３と誘導電極４との間を繋ぐ放電が発生してしまい、そのときに、火花放電のみが観測されるか、観測される沿面放電の規模が小さくなる場合がある。このような場合には、絶縁部材５を複数枚重ねて厚みを増すことによって、沿面放電が確実に発生させることができるようになり、しかも、より大きな沿面放電が観察できるようになる。
【００１５】
以上のごとき構成であるから、バンデグラフ起電機２によってその帯電部分２ａを高電圧に帯電させれば、放電電極３も強帯電し、誘導電極４には放電電極３の電荷と異なる符号の電荷が誘導される。これにより絶縁部材５の表面に保持できる電荷量が増大する。そして、放電電極３に対する電圧の印加が所定の条件を超えたときに、絶縁部材５に沿った形で沿面放電を発生させることができる。
【００１６】
また、バンデグラフ起電機２はその帯電部分２ａに１５０ｋＶ程度の高電圧を発生させることができる。よって、放電電極３も高電圧に帯電させることができるので、沿面放電が発生する可能性を高くすることができる。
【００１７】
なお、図１に示すように、放電電極３を地面等と電気的に接続する電線３ｂを設けておき、この電線３ｂに放電電極３と地面等との間を電気的に接続遮断できるスイッチ３ｃを設けてもよい。
本実施形態の沿面放電体感装置１の場合、バンデグラフ起電機２で発生した電荷によって放電電極３を強帯電させるために、通常の実験では、放電電極３と地面等との間を電気的に遮断した状態で実験が行われる。
しかし、スイッチ３ｃを設けておけば、バンデグラフ起電機２から放電電極３への電荷の供給を停止してから、放電電極３を地面等に接続したときにおける状況も観察することもできる。つまり、バンデグラフ起電機２による電荷の供給が停止してから放電電極３をアースしたときの状況も観察でき、そのときに絶縁部材５の表面に発生する沿面放電も観察することができる。
【００１８】
さらになお、上述した沿面放電体感装置１では、放電電極３、絶縁部材５および誘導電極４がこの順で上下に並ぶように配設しているが、放電電極３の球面状の面と誘導電極４の一面とが対向し、両者の間を絶縁するように絶縁部材５が配設されていればよく、上下方向に並べる必要はない。
【００１９】
本実施形態の沿面放電体感装置１による沿面放電の体感教育実験は、沿面放電体感装置１を設置する空間が、相対湿度６５％以下の雰囲気で実施することが好ましく、相対湿度が３０％以上５５％以下であれば更に好ましい。例えば、空調設備を備えた室内で本実施形態の沿面放電体感装置１による沿面放電の体感教育実験を行うのであれば、上記のごとき湿度となるように、空調設備によって空間内の雰囲気を調整することが好ましい。
これは静電気の発生量は相対湿度の影響を大きく受け、相対湿度が小さいほど静電気の発生量が大きくなるからである。逆にいえば、相対湿度が大きくなると静電気の発生量が小さくなり、沿面放電が発生しにくくなるからである。例えば、相対湿度が６５％より高くなると、沿面放電の発生の規模が小さくなったり、また、沿面放電が全く発生しなかったりする可能性が考えられる。すると、プラントなどの作業者に対して沿面放電の体感教育実験を行っても、その教育効果が弱くなってしまう。
したがって、本実施形態の沿面放電体感装置１による沿面放電の体感教育実験は、相対湿度が６５％以下の雰囲気で行うことが好ましく、体感教育の教師や受講者の健康確保（喉の渇き防止）と一定規模以上の沿面放電を発生させるという観点からは、相対湿度は３０％以上５５％以下がより好ましい。
【００２０】
つぎに、本実施形態の沿面放電体感装置１における、放電電極３および絶縁部材５について、詳細に説明する。
なお、以下に説明する条件は、あくまでバンデグラフ起電機２によって放電電極３を帯電させる場合に必要とされる条件である。
【００２１】
放電電極３は、例えば、鉄やステンレスなどの導電性を有する材料によって形成された電極であり、略円筒状に形成されている。この放電電極３は、その球面状の面の曲率半径Ｒが５〜５０mmとなるように形成されている。これは、放電電極３の曲率半径Ｒが小さすぎる（５ｍｍ未満）とコロナ放電が発生してしまい沿面放電を発生させることができなくなるし、曲率半径Ｒが大きすぎる（５０ｍｍより大きい）と、放電電極３自体が沿面放電の観察の妨げとなるからである。
したがって、この放電電極３は、その球面状の面の曲率半径Ｒが５〜５０mmであることが好ましく、その球面状の面の曲率半径Ｒが５〜２５mmであればさらに好ましい。
なお、放電電極３は必ずしも略円筒状である必要はなく、その断面積がある程度の大きさを有していればよい。そして、その先端に球面状の面を有しその面の曲率半径Ｒが５〜２５mmであれば、コロナ放電の発生を防ぎ沿面放電を発生させることができる。
【００２２】
絶縁部材５は、絶縁性を有する素材によって形成されたシート状の部材であり、その表面に沿面放電を生じさせ得る素材によって、その表面に沿面放電を生じさせ得る形状に形成されている。
以下に、沿面放電を生じさせるために必要となる、絶縁部材５の素材の条件および、絶縁部材５の形状の条件について説明する。
【００２３】
この絶縁部材５は、その表面抵抗率が１０10Ω以上かつ体積抵抗率１０8Ω・ｍ以上であることが好ましい。絶縁部材５の表面抵抗率、体積抵抗率のいずれかが上記の値よりも小さい場合には、絶縁部材５の表面電荷が漏洩し易くなり、沿面放電が発生しにくくなるからである。
したがって、絶縁部材５は、その表面抵抗率が１０10Ω以上かつ体積抵抗率１０8Ω・ｍ以上であることが好ましく、表面抵抗率が１０12Ω以上かつ体積抵抗率１０10Ω・ｍ以上であればさらに好ましい。
上記の条件は、絶縁部材５の素材として、ポリエチレンやポリプロピレン等を採用すれば満たすことができる。
【００２４】
また、絶縁部材５の素材は、厚さが０．０１〜８mmであることが好ましい。厚さが８mmよりも厚くなると、背後導体である誘導電極４の影響力が弱くなるため沿面放電を発生させることが困難となり、また、０．０１mmよりも薄くなると絶縁部材５が絶縁破壊して、放電電極３と誘導電極４が短絡してしまう可能性が高くなるからである。
したがって、絶縁部材５は、厚さが０．０１〜８mmであることが好ましく、厚さが０．１〜３mmであればさらに好ましい。
なお、絶縁部材５は、単体で厚さが０．０１〜８mmとなる必要はなく、厚さの薄いシート状部材を０．０１〜８mmとなるように重ねて使用してもよい。
【００２５】
また、絶縁部材５は、その内部に半径Ｌ１が５ｃｍ以上の円を取ることができる程度の大きさに形成されている(図２（Ｂ）)。絶縁部材５が小さすぎると小さな沿面放電しか観測されなくなり、観察者等に与える印象が弱くなる。すると、本実施形態の沿面放電体感装置１を使ってプラントなどの作業者に沿面放電の体感教育を行うときに、その教育効果が弱くなる。
したがって、絶縁部材５は、その内部に半径Ｌ１が５ｃｍ以上の円を取ることができる程度の大きさに形成されていることが好ましく、さらに、半径Ｌ１が１０ｃｍ以上の円を取ることができることができれば、さらに好ましい。
【００２６】
また、放電電極３および絶縁部材５が上述したような条件を満たした場合であっても、放電電極３と絶縁部材５との距離Ｈが２０mmより長くとなると、沿面放電を発生させるために必要な印加電圧が高くなるため、放電電極３からの放電が生じにくくなる。
したがって、放電電極３は、その先端曲面と絶縁部材５の表面との距離Ｈが、２０mm以下であることが好ましく、５mm以下であればさらに好ましい。
なお、絶縁部材５が上述したような表面抵抗率、体積抵抗率を有しており、しかも、その厚さが０．０１〜８mmの場合であれば、絶縁部材５と放電電極３とが接触していても、絶縁部材５の絶縁破壊による誘導電極４と放電電極３との間に発生する短絡頻度を小さくすることができ、かつ、誘導電極４の作用を効果的に得ることができるので、沿面放電を発生させることが容易になる。
【００２７】
また、図３に示すように、本実施形態の沿面放電体感装置１には、放電電極３、誘導電極４、および絶縁部材５の周囲を囲い、これらを外部から遮断するケース１０を設けてもよい。
なお、図３では、バンデグラフ起電機２がケース２外に配設されているが、ケース１０として、その内部にバンデグラフ起電機２と電線３ａも収容できるものを設けてもよい。
【００２８】
ケース１０は、箱状に形成されており、その内部に放電電極３等を収容できる空間を備えたものである。このケース１０の前面には、その内部を視認できるように観測窓10aが設けられている。そして、このケース１０は、観測窓10a以外の部分は、例えば、鉄やステンレス等の金属によって形成されており、観測窓10aは、例えば、強化ガラス等によって形成されている。
【００２９】
以上のような構成の場合、このケース１０内に配置された絶縁部材５の上、つまり、沿面放電が発生する位置に固体の可燃物Ｍを配置しておけば、沿面放電による固体の可燃物Ｍの着火実験を行うことができ、その状況を観測窓10aを通して確認できる。
すると、単に沿面放電の状況を確認するだけよりも、実験者や観測者に与えるインパクトが強くなり、沿面放電による災害等の危険性に対する認識をより深めることができる。
しかも、ケース１０内において、固体の可燃物Ｍを着火燃焼したときに発生する熱や有害物質等が周囲に飛散することを防ぐことができる。
【００３０】
また、ケース１０内を換気する換気手段１１を設けておけば、着火燃焼時に発生する有害ガスがケース１０から漏れ出すことを防ぐことができる。
換気手段１１は、単にケース１０内の空気を吸引し外部に排出するポンプなどでもよいが、ケース１０内から吸引した気体に含まれる燃焼ガスを除害する除害手段を備えている方が好ましい。
【００３１】
さらに、着火実験を行わない場合であっても、沿面放電が発生したときにオゾンが発生する可能性があるので、換気手段１１を備えたケース１０内で実験を行うことが安全衛生上好ましい。
【００３２】
なお、規模の大きい沿面放電をより確実に発生させるためには、ケース１０内を、相対湿度６５％以下とした状態で実験を実施することが好ましく、相対湿度が３０％以上５５％以下であれば更に好ましい。
例えば、空間内の空気の相対湿度を適度（相対湿度６５％以下）に調整できる装置１２、例えば、空気調和装置等を設け、この空気調和装置等から相対湿度が調整された空気をケース１０内に供給できるようにしておけば、ケース１０内の雰囲気を沿面放電の発生に適した状態とすることができる。そして、かかるケース１０内の相対湿度を調整できる装置１２を備えていれば、ケース１０を設置する場所の雰囲気に関係なく、本実施形態の沿面放電体感装置１による実験を効果的に行うことができる。
とくに、バンデグラフ起電機２を含む全ての装置をケース１０内に設置している場合であれば、周囲の雰囲気に係わらず、バンデグラフ起電機２においても安定した状態で静電気を発生させることができるので、より好ましい。
【実施例】
【００３３】
本発明の沿面放電体感装置において、放電電極と絶縁部材との距離を、０、１０、５０ｍｍと変化させて、沿面放電が発生する条件を確認した。
【００３４】
実験には以下の起電機および部材を使用した。
【００３５】
バンデグラフ起電機：島津理化器械株式会社製ツインタワーバンデグラフＶＧ−Ｔ
放電電極：先端の曲率半径１０mmの棒状材料（素材：ステンレス）
絶縁部材：低密度ポリエチレン製絶縁フィルム（ホリアキ株式会社製、半透明ラップインごみ袋厚口４５Ｌ、厚さ0.04ｍｍ）を、５０ｃｍ角に切り、４枚重ねたもの
誘導電極：直径0.3ｍの円形平板（素材：ステンレス）
台：テフロン（登録商標）製ブロック
【００３６】
なお、バンデグラフ起電機と放電電極を繋ぐ電線には、内径６ｍｍ外径８ｍｍのテフロン（登録商標）チューブによる被覆を施している。
また、実験は、気温２６℃、相対湿度５０％の条件で行った。
【００３７】
放電電極と絶縁部材との距離が０ｍｍの場合には、バンデグラフ起電機のスイッチを入れた直後から沿面放電が観察された（図４）。
また、バンデグラフ起電機のスイッチを切り、放電電極をアースした時にも大きな沿面放電が観察された（図５）。
【００３８】
放電電極と絶縁部材との距離が１０ｍｍの場合にも、バンデグラフ起電機のスイッチを入れた直後から沿面放電が観察された。しかし、沿面放電が発生した領域は、距離が０ｍｍにおけるバンデグラフ起電機のスイッチを入れた状態において発生した沿面放電よりも小さかった。
また、バンデグラフ起電機のスイッチを切り、放電電極をアースした時にも沿面放電が観察された。この場合も、距離が０ｍｍにおける同じ条件の場合と比べて、その沿面放電が発生した領域が小さかった。
【００３９】
放電電極と絶縁部材との距離が５０ｍｍの場合には、バンデグラフ起電機のスイッチを入れた状態、バンデグラフ起電機のスイッチを切り放電電極をアースした時、いずれの場合にも沿面放電は発生しなかった。
【産業上の利用可能性】
【００４０】
本発明の沿面放電体感装置は、沿面放電が発生する可能性がある現場において作業を行う作業者に対し、沿面放電による火災や爆発災害の発生を防止するための教育に使用することができる。
【図面の簡単な説明】
【００４１】
【図１】本実施形態の沿面放電体感装置１の概略ブロック図である。
【図２】（Ａ）は電極近傍の概略拡大説明図であり、（Ｂ）は電極近傍の概略平面図である。
【図３】ケース１０を設けた本実施形態の沿面放電体感装置１の概略ブロック図である。
【図４】本実施形態の沿面放電体感装置１によって沿面放電を発生させた状況を示す図である。
【図５】本実施形態の沿面放電体感装置１によって沿面放電を発生させた状況を示す図である。
【符号の説明】
【００４２】
１        沿面放電体感装置
２        バンデグラフ起電機
３        放電電極
４        誘導電極
５        絶縁部材
１０        ケース
１０ａ      観測窓
１１        換気手段
【図１】
2008226580.tif 000003
【図２】
2008226580.tif 000004
【図３】
2008226580.tif 000005
【図４】
2008226580.tif 000006
【図５】
2008226580.tif 000007